(57)【特許請求の範囲】
【請求項１】
飲料用容器の容器本体の上部に取り付けられる蓋体であって、
容器本体の上端開口部に設けられる中蓋と、
中蓋の上方を覆うように設けられる外蓋と、
中蓋の上面に設けられる飲口部と、
外蓋の内壁に設けられ、前記飲口部を上方から密閉するパッキングと、
中蓋に設けられる吸気孔と、
吸気孔を容器内側から閉塞する閉塞部材と、
閉塞部材を容器外側へ向かって付勢する付勢手段と、を備え、
前記閉塞部材は、前記中蓋に形成された貫通孔に対して上下方向にスライド可能な軸部と、この軸部の容器内側に設けられ、前記吸気孔を閉塞する傘部とを備え、
前記付勢手段は、前記軸部の外周に同軸上に配置されるコイルばねであって、前記軸部の容器外側に設けられる受け部と、前記貫通孔の外縁部との間に介在され、
前記コイルばねの外周が、前記受け部から下方に向かって突設された円筒状の保護面、及び前記貫通孔の周囲から上方に向かって突設された円筒状の凸条により覆われ、外部から視認できないように構成されている飲料用容器の蓋体。
【請求項２】
前記吸気孔は、前記貫通孔を挟んで対向する位置に２つ設けられている請求項１に記載の飲料用容器の蓋体。
【請求項３】
前記吸気孔は、前記凸条の内側に設けられている請求項２に記載の飲料用容器の蓋体。
【請求項４】
前記外蓋は、前記中蓋の外周縁の一部に軸支され、
前記飲口部を前記パッキングで密閉する位置と開放する位置とに回転可能である請求項１〜３のいずれかに記載の飲料用容器の蓋体。
【請求項５】
請求項１〜４のいずれかに記載の蓋体を有する飲料用容器。
【発明の詳細な説明】
【技術分野】
【０００１】
本発明は、飲料用容器の容器本体の上部に取り付けられる蓋体及びこれを有する飲料用容器に関するものである。
【背景技術】
【０００２】
飲料を収容する飲料用容器としては、例えば、下記特許文献１に開示される飲料用容器が知られている。特許文献１の飲料用容器は、容器本体の上端開口部に施す閉じ蓋を有し、閉じ蓋に設けられている飲み口を開閉可能なキャップを有する。この飲料用容器は、キャップが閉じ蓋に軸支され、飲み口を密閉した状態でキャップをロックし、また飲用時に指先の操作でロック解除可能であり、かつ開き方向に作用するばね手段を有するロック機構をさらに備えている。この構成により、両手を使わなくても、片手で操作して、楽にキャップを開け、飲み口から飲用可能となっている。
【０００３】
しかしながら、特許文献１の飲料用容器は、飲み口がキャップに設けられたパッキングにより密閉されるが、容器内外の差圧によっては、パッキングが飲み口に吸着した状態となりキャップを開けることができなくなる。これは、飲料用容器に熱い飲料を入れた場合、時間の経過とともに容器内の気体（空気と水蒸気）が冷え、容器内が減圧されるため、容器外の大気圧との差が生じることが原因である。また、このような問題は、飲料用容器に冷たい飲料を入れた場合にも、容器内の空気が冷却され、容器内が減圧されるために生じることがある。
【０００４】
このような容器内の減圧により飲み口の開閉ができなくことを防止する目的で、下記特許文献２には、飲料用容器の上端開口部を閉じる中蓋に、容器内の減圧時に開弁し、容器内外の差圧を解消する差圧弁を設けた保温保冷水筒が開示されている。差圧弁は、中蓋に設けた取り付け孔に嵌め込む軸部と、軸部の内方端に一体に設けた弁板部を有するとともに、この弁板部によって中蓋に設けられている通気部を覆うものである。容器内外の差圧が一定の範囲に止まっている間は弁板部によって通気部を閉塞し、差圧が一定の範囲を超えたときに弁板部が弾性変形して通気部を開放する。
【先行技術文献】
【特許文献】
【０００５】
【特許文献１】実用新案登録３０９７６８０号公報
【特許文献２】実用新案登録３１２５８８０号公報
【発明の概要】
【発明が解決しようとする課題】
【０００６】
しかしながら、弁板部は、軟質の樹脂により形成され、弾性変形可能に構成されているため、通気部を閉塞する力が十分ではなく、飲料用容器の姿勢によっては通気部から容器内の飲料が漏れ出すおそれがあった。また、樹脂の劣化などにより形状が変形し、弁板部による通気部の閉塞が不十分となるおそれもある。
【０００７】
本発明は上記実情に鑑みてなされたものであり、その目的は、容器内外の差圧を解消することができ、かつ、容器内の飲料が外部に漏れ出すことのない飲料用容器の蓋体及びこれを有する飲料用容器を提供することにある。
【課題を解決するための手段】
【０００８】
上記課題を解決するため本発明に係る飲料用容器の蓋体は、
飲料用容器の容器本体の上部に取り付けられる蓋体であって、
容器本体の上端開口部に設けられる中蓋と、
中蓋の上方を覆うように設けられる外蓋と、
中蓋の上面に設けられる飲口部と、
外蓋の内壁に設けられ、前記飲口部を上方から密閉するパッキングと、
中蓋に設けられる吸気孔と、
吸気孔を容器内側から閉塞する閉塞部材と、
閉塞部材を容器外側へ向かって付勢する付勢手段と、を備えることを特徴とする。
【０００９】
かかる構成による飲料用容器の蓋体の作用効果を説明する。本発明の飲料用容器の蓋体は、容器本体の上端開口部に設けられる中蓋と、中蓋の上方を覆うように設けられる外蓋と、中蓋の上面に設けられる飲口部と、外蓋の内壁に設けられ、飲口部を上方から密閉するパッキングと、を備えており、外蓋を開けることで、パッキングを飲口部から離して、飲口部を開放させることができる。また、中蓋には、吸気孔が設けられており、この吸気孔を介して容器本体内部へ空気を取り込むことができるようになっている。吸気孔は、付勢手段で容器外側へ向かって付勢された閉塞部材によって、容器内側から閉塞される。この構成によれば、通常、吸気孔は付勢手段で付勢された閉塞部材によって、容器内側から完全に閉塞されるため、容器内の飲料が外部に漏れ出すことはない。一方、容器本体内部が減圧した際には、付勢手段による付勢力に抗して閉塞部材が容器内側へ移動され、吸気孔が開放されて容器本体内部に空気が取り込まれ、容器内外の差圧を解消することができる。
【００１０】
本発明の飲料用容器の蓋体において、前記閉塞部材は、前記中蓋に形成された貫通孔に対して上下方向にスライド可能な軸部と、この軸部の容器内側に設けられ、前記吸気孔を閉塞する傘部とを備えることが好ましい。
【００１１】
閉塞部材は、中蓋に形成された貫通孔に対して上下方向にスライド可能な軸部を備えることで、軸部の容器内側に設けられる傘部も上下方向にスライド可能となっており、この傘部によって、吸気孔を容器内側から閉塞したり開放したりすることができる。
【００１２】
本発明の飲料用容器の蓋体において、前記付勢手段は、前記軸部の外周に同軸上に配置されるコイルばねであって、前記軸部の容器外側に設けられる受け部と、前記貫通孔の外縁部との間に介在されることが好ましい。
【００１３】
閉塞部材の軸部の外周に同軸上に配置されたコイルばねが、軸部の容器外側に設けられる受け部と、貫通孔の外縁部との間に介在され、この受け部と貫通孔の外縁部とを離間させるように付勢する。これにより、軸部の容器内側に設けられる傘部が容器外側へ向かって確実に付勢される。また、付勢部材は、容器外側に配置されるので、容器内の飲料に晒されることがない。
【００１４】
本発明の飲料用容器の蓋体において、前記外蓋は、前記中蓋の外周縁の一部に軸支され、前記飲口部を前記パッキングで密閉する位置と開放する位置とに回転可能であることが好ましい。
【００１５】
外蓋を中蓋の外周縁の一部に軸支し、飲口部をパッキングで密閉する位置と開放する位置とに回転可能であるように構成した飲料用容器の蓋体において、容器本体内部の減圧のためにパッキングが飲み口に吸着した状態となり外蓋を回転させて開けることができなくなる問題が生じ易い。そのため、本発明のように吸気孔から空気を取り込み、容器内外の差圧を解消する構成を備えることが特に有効である。
【図面の簡単な説明】
【００１６】
【図１】飲料用容器の外観構成を示す斜視図
【図２】外蓋を閉じた状態の飲料用容器の内部構造を示す断面図
【図３】外蓋を開いた状態の飲料用容器の内部構造を示す断面図
【図４】吸気孔周辺を拡大して示す断面図
【図５】閉塞部材の構成を示す分解斜視図
【発明を実施するための形態】
【００１７】
以下、本発明の実施の形態について、図面を参照しながら説明する。図１は、飲料用容器１の外観構成の一例を示す斜視図である。図２は、外蓋４を閉じた状態の飲料用容器１の内部構造を示す断面図である。図３は、外蓋４を開いた状態の飲料用容器１の内部構造を示す断面図である。図４は、吸気孔３１ｃ周辺を拡大して示す断面図である。
【００１８】
本発明における飲料用容器は、飲料を収容して持ち運び可能なものであるが、特定の用途に限定されるものではない。また、飲料用容器内に収容される飲料についても、水、お茶、コーヒー等が例示されるが、特定の飲料に限定されるものではない。また、収容される飲料は、熱いものでも冷たいものでもよい。なお、本発明において、上方・下方、水平・垂直という表現は、飲料用容器を水平面の上に垂直姿勢で置いたときの姿勢を基準にしているものと定義する。
【００１９】
図１に示すように、飲料用容器１は、容器本体２と、中蓋３と、外蓋４とから構成される。本発明の蓋体は、主として中蓋３と外蓋４とで構成される。容器本体２はほぼ円筒形を呈しており、容器本体２の内部に飲料が収容される。中蓋３は、容器本体２の上端に形成される開口部を閉鎖するものであり、容器本体２の上端開口部に対してネジにより着脱自在に取り付けられる。外蓋４は、中蓋３の上方を覆うように設けられており、中蓋３の外周縁の一部に軸支され、中蓋３に対して回転可能である。
【００２０】
容器本体２は、保温、保冷性がよく、耐久性も高い、ステンレスなどで形成された真空二重容器であることが好ましいが、これに限定されるものではない。容器本体２の上部外周には、中蓋３を取り付けるための雄ねじが形成されている。
【００２１】
中蓋３は、それぞれ樹脂製の中蓋下部３０と中蓋上部３１とから構成されている。円筒状の中蓋下部３０は、その内周面に、容器本体２の上部外周に形成された雄ねじに螺合する雌ねじが形成されている。中蓋下部３０の外周縁の一部には、外蓋４が開閉自在に取り付けられている。また、中蓋下部３０の側面には、後述するロック機構３３が設けられている。
【００２２】
中蓋上部３１は、中蓋下部３０の中央部に設けられている。中蓋上部３１の上面には、容器本体２内の飲料を外部に排出可能な飲口部３１ａが設けられている。本実施形態では、飲口部３１ａは円形の開口に形成されている。また、中蓋上部３１の外周縁であって、飲口部３１ａの近傍には、立ち上がり部３１ｂが一体形成されている。使用者は、立ち上がり部３１ｂに口を付けながら、飲料用容器１を傾けていくことで容器本体２内の飲料を飲口部３１ａから排出させて飲むことができる。そのため、立ち上がり部３１ｂは、口当たりがよい材料、形状であることが好ましい。
【００２３】
図４に示すように、中蓋上部３１には、貫通孔３１ｃが設けられている。貫通孔３１ｃは、中蓋上部３１を上下方向に貫通している。中蓋上部３１の上面であって、貫通孔３１ｃの外縁部には、円形の第１凸条３１ｄが設けられ、第１凸条３１ｄの外側に円形の第２凸条３１ｅがさらに設けられている。第１凸条３１ｄと第２凸条３１ｅとの間には、後述のコイルばね３５が配置される。
【００２４】
また、中蓋上部３１には、第１凸条３１ｄと第２凸条３１ｅとの間に吸気孔３１ｆが設けられている。本実施形態では、吸気孔３１ｆが、貫通孔３１ｃを挟んで対向する位置に２つ設けられている。ただし、吸気孔３１ｆの個数や位置はこれに限定されるものではない。例えば、吸気孔３１ｆを３つ以上設けてもよい。また、図に示した２つの吸気孔３１ｆを、貫通孔３１ｃの周りにそれぞれ９０度回転させた位置に設けてもよい。吸気孔３１ｆは貫通孔となっており、容器内側と容器外側との間で気体の移動が可能である。
【００２５】
中蓋上部３１には、吸気孔３１ｆを容器内側から閉塞する閉塞部材３４が設けられている。図５は、閉塞部材３４の構成を示す分解斜視図である。閉塞部材３４は、閉塞部３４０と受け部３４３とから構成されている。閉塞部３４０は、軸部３４１と軸部３４１の一端に形成された傘部３４２とで構成されている。軸部３４１の他端には、凹溝３４１ａが全周に形成されている。軸部３４１の外周面は、貫通孔３１ｃの内周面との間にわずかに間隙が形成されるように寸法が決定されており、軸部３４１は、貫通孔３１ｃに対して上下方向にスライド可能となっている（図４参照）。
【００２６】
傘部３４２は、その上面が中蓋上部３１に下方から当接されることで、吸気孔３１ｆを閉塞することができる。傘部３４２の中蓋上部３１に当接する箇所には、シリコンゴム等により形成されるパッキング３４２ａなどを設けて気密性を高めることが好ましい。より具体的には、中蓋上部３１の下面に形成されたリング状の凸部に傘部３４２のパッキング３４２ａが当接され、吸気孔３１ｆが閉塞される。
【００２７】
受け部３４３は、閉塞部３４０の軸部３４１に取り付けられる。受け部３４３は、受け面３４３ａと、受け面３４３ａの外縁部から突設された保護面３４３ｂとから構成されている。受け面３４３ａは、後述のコイルばね３５の付勢力を受け止める。受け面３４３ａには、図５に示すように十字状の孔が形成されており、この孔に閉塞部３４０の軸部３４１を挿入することで、受け部３４３を軸部３４１の凹溝３４１ａに係止させることができる。
【００２８】
閉塞部材３４は、付勢手段により容器外側（上方）へ向かって付勢される。付勢手段としては、コイルばね３５が例示される。コイルばね３５は、閉塞部材３４の軸部３４１の外周にほぼ同軸上に配置される。コイルばね３５は、軸部３４１の取り付けられた受け部３４３と貫通孔３１ｃの外縁部との間に圧縮状態で配置される。具体的には、コイルばね３５の下端は、第１凸条３１ｄと第２凸条３１ｅとの間に配置され、コイルばね３５の上端は、閉塞部材３４の受け面３４３ａに当接される。コイルばね３５の外周は、受け部３４３の保護面３４３ｂ、および第２凸条３１ｅにより覆われ、外部からほぼ視認できないように構成されている。
【００２９】
外蓋４は、樹脂成型で形成される。外蓋４の内壁には、飲口部３１ａを上方から密閉するパッキング４０が設けられている。パッキング４０は、外蓋４の内壁から突設された支持体４１の先端に設けられている。パッキング４０は、シリコンゴム等により形成することができる。
【００３０】
外蓋４は、中蓋３の外周縁の一部に軸支され、飲口部３１ａを閉塞する位置と開放する位置とに回転可能である。外蓋４の回転軸４２は、水平に設定される。回転軸４２を支持する軸支持部３０ａが中蓋下部３０に一体形成されている。
【００３１】
外蓋４は、不図示のコイルばね等で開き方向に付勢されている。そのため、外蓋４が中蓋３を覆うように閉じた状態、すなわちパッキング４０で飲口部３１ａを密閉する位置で固定することができるように、中蓋下部３０の側面には、ロック機構３３が設けられている。ロック機構３３は、ロック部材３３０を備えている。ロック部材３３０の先端には、第１ロック爪３３０ａが一体形成されている。第１ロック爪３３０ａは、外蓋４に一体形成される第２ロック爪４ａと係合可能である。ロック部材３３０は、回転軸３３０ｂ周りを回転可能であり、外蓋４をロックするロック位置と、外蓋４のロックを解除するロック解除位置との間を切り換え可能である。
【００３２】
蓋体を取り付けた容器本体２に飲料を収容し、外蓋４を閉じた状態では、飲口部３１ａはパッキング４０により密閉され、また、吸気孔３１ｆはコイルばね３５で付勢された閉塞部材３４により閉塞されており、容器内の飲料が不用意に外部に漏れ出すことはない。一方、飲料を容器本体２に収容し、外蓋４を閉じた状態のまま時間が経過した場合、容器本体２内部が減圧されることがある。この際、コイルばね３５による付勢力に抗して閉塞部材３４が容器内側へ移動され、吸気孔３１ｆが開放されて容器本体２内部に空気が取り込まれ、容器内外の差圧を解消することができる。
【符号の説明】
【００３３】
１    飲料用容器
２    容器本体
３    中蓋
４    外蓋
３０    中蓋下部
３１    中蓋上部
３１ａ  飲口部
３１ｃ  貫通孔
３１ｆ  吸気孔
３４    閉塞部材
４０    パッキング
４２    回転軸
３４０    閉塞部
３４１    軸部
３４２    傘部
３４３    受け部
【図１】
0005476417.tif 000002
【図２】
0005476417.tif 000003
【図３】
0005476417.tif 000004
【図４】
0005476417.tif 000005
【図５】
0005476417.tif 000006